(57)【要約】【課題】  被搬送物を載置し、車輪を装着するフレームを有せず、かつ組み立て分解作業も必要とせず、簡単な構成で重量も軽く、被搬送物を簡単に固定して容易に搬送できる物品搬送具とする。【解決手段】  車輪２を有し、被搬送物Ａを搬送具１の搬送方向に対して左右両側より圧接固定する一対の挾持体３が、被搬送物Ａの荷重を受けると被搬送物Ａに圧接固定し、被搬送物Ａを保持する。挾持体３を略Ｌ字形の板体で構成する。【選択図】  図１
2006205964.tif 000002
【特許請求の範囲】
【請求項１】
車輪を有し、被搬送物を受け被搬送物を搬送具の搬送方向に対して左右両側より圧接固定する一対の挾持体が、被搬送物の荷重を受けると被搬送物に圧接固定し、被搬送物を保持するように構成されていることを特徴とする物品搬送具。
【請求項２】
挾持体は略Ｌ字形の板体で構成されていることを特徴とする請求項１記載の物品搬送具。
【請求項３】
挾持体の側板部が傾斜角度調節可能に設けられていることを特徴とする請求項２記載の物品搬送具。
【請求項４】
一対の挾持体間に被搬送物の受け部材が掛け渡され、この受け部材が被搬送物の荷重で下圧されると、両挾持体が接近して被搬送物を左右両側より圧接固定し、被搬送物を保持することを特徴とする請求項１記載の物品搬送具。
【請求項５】
挾持体は板状体で構成されていることを特徴とする請求項４記載の物品搬送具。
【請求項６】
挾持体は被搬送物への当接面に滑り止めが施されていることを特徴とする請求項１から５のいずれかに記載の物品搬送具。
【請求項７】
被搬送物に接する面に形成された凹凸にかみ合う凹凸が、挾持体の当接面に形成されていることを特徴とする請求項１から６のいずれかに記載の物品搬送具。
【請求項８】
挾持体は車軸と角度調節可能に取り付けられていることを特徴とする請求項１から７のいずれかに記載の物品搬送具。
【請求項９】
受け部材は紐状体又は帯状体であることを特徴とする請求項４又は５記載の物品搬送具。
【請求項１０】
受け部材は長さ調節可能であることを特徴とする請求項４、５又は９記載の物品搬送具。
【発明の詳細な説明】
【技術分野】
【０００１】
本発明は、箱、任意形状の物品を収容した容器、形状保持性を有する物品等の被搬送物を簡単に固定して容易に搬送ができる物品搬送具に関するものである。
【背景技術】
【０００２】
従来、箱、任意形状の物品を収容した容器、形状保持性を有する物品等の被搬送物を搬送する場合は、一般的に下面にキャスターを取り付けた荷台の後部にハンドルを起立させた手押し運搬車が使用されている。
この手押し運搬車は重量も重く、かつ大きな荷台とハンドルを有し、車輌に積み込んでおく時や保管時に占有スペースが大きい問題点を有していた。
【０００３】
そこで、車輌に分解した状態でコンパクトに収納して持ち込むことができると共に、使用時に簡単に組立が可能で、建設資材を簡単に固定でき、固定後、簡単容易に搬送できる搬送具が特開平１０−２７８８０１の公報に提案されている。
この搬送具は、被搬送物を載置できると共に、一対の車輪を装着できるフレーム体を有し、このフレーム体に被搬送物固定プレートを搬送方向に対して左右方向から挿入してスライドし、被搬送物を両側から挾み、固定ネジで被搬送物固定プレートをフレーム体の上面に固定するものである。
【０００４】
したがって、従来の手押し運搬車に比べてハンドルがなく、車輪も左右一対のみで簡単な構成で軽量であるが、組立分解作業を必要とすると共に、被搬送物を載置し車輪を装着するフレーム体を有し、かつ被搬送物固定プレートの固定は固定ネジによっているものである。
【特許文献１】特開平１０−２７８８０１
【発明の開示】
【発明が解決しようとする課題】
【０００５】
上記点より本発明は、被搬送物を載置し、車輪を装着するフレームを有せず、かつ組立分解作業も必要とせず、簡単な構成で重量も軽く、被搬送物を簡単に固定して容易に搬送できる物品搬送具を提供しようとするものである。
【課題を解決するための手段】
【０００６】
上記課題を解決するため、請求項１記載の本発明物品搬送具は、車輪を有し、被搬送物を受け被搬送物を搬送具の搬送方向に対して左右両側より圧接固定する一対の挾持体が、被搬送物の荷重を受けると被搬送物に圧接固定し、被搬送物を保持するように構成されていることを特徴とするものである。
【０００７】
このような構成とすることにより、被搬送物の搬送は一対の挾持体が被搬送物の荷重を受けると、被搬送物の両側より圧接固定するため、特別な固定手段を必要とせずに挾持体で被搬送物は固定され、この挾持体に荷重が掛かって固定された状態で操作者は被搬送物をハンドルの代わりに利用して被搬送物を車輪により軽快に搬送できるものである。
【０００８】
又、搬送具は車輪を有し、被搬送物を受け固定する一対の挾持体で構成されているため、ハンドル及び被搬送物を載置し車輪を装着する荷台又はフレームが存在しないので、構成も簡単で重量も軽いものとなる。
【０００９】
次に、請求項２記載の本発明物品搬送具は、請求項１記載の物品搬送具において、挾持体は略Ｌ字形の板体で構成されていることを特徴とするものである。
【００１０】
このような構成とすることにより、略Ｌ字形の板体の水平板部を被搬送物の底部の両側に当て被搬送物を水平板部上に置けば、挾持体は車輪を支点として被搬送物側に傾倒する力が働くので、略Ｌ字形の板体の側板部が被搬送物を両側より圧接固定する。
そして、挾持体の内角部が被搬送物の側部と底部のなす角度より小さく形成すれば、確実に被搬送物の側部に強く圧接可能となる。
【００１１】
次に、請求項３記載の本発明物品搬送具は、請求項２記載の物品搬送具において、挾持体の側板部が傾斜角度調節可能に設けられていることを特徴とするものである。
【００１２】
このような構成とすることにより、被搬送物の側部と底部のなす角度に挾持体を対応させることが可能となる。
【００１３】
次に、請求項４記載の本発明物品搬送具は、請求項１記載の物品搬送具において、一対の挾持体間に被搬送物の受け部材が掛け渡され、この受け部材が被搬送物の荷重で下圧されると、両挾持体が接近して被搬送物を左右両側より圧接固定し、被搬送物を保持することを特徴とするものである。
【００１４】
このような構成とすることにより、挾持体間に掛け渡された受け部材を被搬送物の底部に当て被搬送物を受け部材上に置けば、受け部材は被搬送物の荷重で下圧され、受け部材と連結する両挾持体は強力に引き寄せられ、接近して被搬送物を左右両側より圧接固定するので、この荷重が掛かって固定された状態で操作者は被搬送物をハンドルの代わりに利用して被搬送物を車輪により軽快に搬送できるものである。
【００１５】
次に、請求項５記載の本発明物品搬送具は、請求項４記載の物品搬送具において、挾持体は板状体で構成されていることを特徴とするものである。
【００１６】
このような構成とすることにより、簡単な構成で製作も容易である。
【００１７】
次に、請求項６記載の本発明物品搬送具は、請求項１から５のいずれかに記載の物品搬送具において、挾持体は被搬送物への当接面に滑り止めが施されていることを特徴とするものである。
【００１８】
このような構成とすることにより、挾持体は摩擦力が増大し、強力な固定となる。
【００１９】
次に、請求項７記載の本発明物品搬送具は、請求項１から６のいずれかに記載の物品搬送具において、被搬送物に接する面に形成された凹凸にかみ合う凹凸が、挾持体の当接面に形成されていることを特徴とするものである。
【００２０】
このような構成とすることにより、確実でより強固な固定となる。
【００２１】
次に、請求項８記載の本発明物品搬送具は、請求項１から７のいずれかに記載の物品搬送具において、挾持体は車軸と角度調節可能に取り付けられていることを特徴とするものである。
【００２２】
このような構成とすることにより、被搬送物の側面の傾斜角度に合うように挾持体を対応させることが可能となる。
【００２３】
次に、請求項９記載の本発明物品搬送具は、請求項４又は５記載の物品搬送具において、受け部材は紐状体又は帯状体であることを特徴とするものである。
【００２４】
このような構成とすることにより、被搬送物の底部の形状に対応させることができると共に、簡単な構成で重量も軽く、かつ不使用時の収納スペースも小さくて済む。
【００２５】
次に、請求項１０記載の本発明物品搬送具は、請求項４、５又は９記載の物品搬送具において、受け部材は長さ調節可能であることを特徴とするものである。
【００２６】
このような構成とすることにより、被搬送物の幅に対応させることができ、被搬送物の小さなものから大きなものまで搬送できる融通性を有する。
【発明の効果】
【００２７】
請求項１から請求項５の本発明物品搬送具によれば、被搬送物の搬送は一対の挾持体が被搬送物の荷重を受けると、被搬送物の両側より圧接固定するため、特別な固定手段を必要とせずに強固に挾持体で被搬送物は固定され、誰もが簡単に固定できる効果を有する。  
又、挾持体は被搬送物の両側の前後方向の任意位置に装着できるので、バランス良く被搬送物を搬送できる効果を有する。
【００２８】
又、搬送具はハンドル及び被搬送物を載置し車輪を装着する荷台又はフレームが存在しないので、コンパクトで構成も簡単で重量も軽いものとなり、車輌に積み込んで置く時や保管時に占有スペースが小さくて済むと共に、製作コストも安価となる効果を有する。
【００２９】
請求項６の本発明物品搬送具によれば、挾持体の被搬送物への当接面に滑り止めが施されているので、挾持体の摩擦力が増大し強固な固定となり、被搬送物を両側から確実に挾持することができる効果を有する。
【００３０】
請求項７の本発明物品搬送具によれば、被搬送物の側部面や底面の凹凸と挾持体の当接面の凹凸がかみ合うので、固定は確実でより強固なものとなり、外れることのない挾持となる効果を有する。
【００３１】
請求項８の本発明物品搬送具によれば、被搬送物の側面の傾斜角度に合うように挾持体を対応させることが可能となり、確実に安定した挾持が可能となる効果を有する。
【００３２】
請求項９の本発明物品搬送具によれば、受け部材が紐状体又は帯状体であるため、被搬送物の底部の形状に対応させることが容易で、不使用時にはコンパクトに収納し易く、スペースも小さくて済むと共に製作も容易となり、かつコストも安価となる効果を有する。    
【００３３】
請求項１０の本発明物品搬送具によれば、受け部材を長さ調節することで被搬送物の幅に対応させることができるので、被搬送物の小さなものから大きなものまで搬送でき、融通性を有する効果がある。
【発明を実施するための最良の形態】
【００３４】
以下、本発明の一実施の形態を図面に基づき説明する。全図を通して同一符号は、同一又は相当する部分を示すものである。
図１は本発明物品搬送具の一実施の形態を示す正面図、図２は同上の側面図である。
【００３５】
本発明搬送具１は、箱、任意形状の物品を収容した容器、形状保持性を有する物品等の被搬送物Ａを簡単に固定して容易に搬送するもので、車輪２を有し、被搬送物Ａを受け、被搬送物Ａを搬送具１の搬送方向に対して左右両側より圧接固定する左右一対の挾持体３から構成されている。
【００３６】
この挾持体３は内角部が被搬送物Ａの側部と底部のなす角度より小さく形成された一対の略Ｌ字形の板体から構成され、挾持体３の板体の側板部３ａの外側に車軸４が固定され、車輪２が車軸４に回動可能に取り付けられている。
挾持体３は金属、木、プラスチック等その材質は問わない。又車輪２はゴムタイヤが好適である。
【００３７】
挾持体３の側板部３ａの内側にゴム板等摩擦係数の大きい滑り止め板５が貼着されて、被搬送物Ａへの当接面に滑り止めが施されている。滑り止めは側板部３ａの内側に凹凸等を直接形成することもできる。
又、図示されていないが、側板部３ａや水平板部３ｂに被搬送物Ａに圧接する側部面や底面に形成された凹凸にかみ合う凹凸を形成し、被搬送物Ａと挾持体３の固定をより強固にすることもできる。
以下の実施形態の図（図３以下）の挾持体３や受け部材７においても被搬送物Ａの凹凸にかみ合う凹凸を当接面に同様に形成することもできる。挾持体３の水平板部３ｂの上面は被搬送物Ａの底部の側端付近が置かれる受けとなっている。図示されていないが、水平板部３ｂの上面に側板部３ａと同様に滑り止めを施すこともできる。
【００３８】
このような構成を有する搬送具１の使用方法は、先ず、図２の鎖線に示すように、操作者は被搬送物Ａの搬送方向の先端部を地上に当接して操作者の手前側を浮かせ、一方の側の挾持体３の板体の内角部に被搬送物Ａの側面の底部角部を当てるように挾持体３を当てれば、挾持体３の内角部が被搬送物の側部と底部のなす角度より小さく形成されているため、水平板部３ｂの先端部が被搬送物Ａの底部に当たり、そのまま被搬送物Ａの手前側を下ろし、被搬送物Ａの荷重が掛かると車輪２を支点として挾持体３は被搬送物側に傾倒する力が働き、挾持体３の側板部３ａが被搬送物Ａの側部に強く確実に圧接する。
【００３９】
次に、反対側の挾持体３の板体を被搬送物Ａの反対側の対向部の側面の底部角部に当て、同様にして挾持体３の側板部３ａを被搬送物Ａの側部に圧接すれば、被搬送物Ａは搬送具１の搬送方向に対して左右両側より圧接固定されると共に、底部は水平板部３ｂにより受けられ、被搬送物Ａは保持される。
そして、この状態で操作者は被搬送物Ａをハンドル代わりに利用して被搬送物Ａの先端部を浮かせて押せば、車輪２により軽快に搬送できるものである。
尚、搬送具１の被搬送物Ａへの装着時に、被搬送物Ａの搬送方向の先端部を地上に当接して操作者の手前側を浮かせているが、この方法に限らず被搬送物Ａの側面の片側を上げて片側ずつ装着してもよい。
【００４０】
図３は請求項３の本発明物品搬送具の一実施例を示すものであり、この構成は挾持体３の水平板部３ｂの上面に被搬送物Ａの側面に当接する内側側板部３ａ１の下部を蝶番１５で回動可能に取り付け、この内側側板部３ａ１の外側にブラケット１６が固着され、このブラケット１６にボルト１７の基端部が上下方向に回動可能に軸支１８されている。
【００４１】
そして、車軸４を設けた外側側板部３ａに上下方向に長孔１９が設けられ、この長孔１９にボルト１７の先方部が挿通され、外側側板部３ａに両側からナット２０で固定されている。これにより、ナット２０を緩め内側側板部３ａ１の傾斜角度を調節し、内側側板部３ａ１を被搬送物Ａの側部と底部のなす角度に対応させることができる。
【００４２】
図４は本発明物品搬送具の他の実施の形態を示す正面図、図５は同上の斜視図である。  この搬送具１は挾持体３が一対の平板で構成されている。そして、挾持体３の板面の外側に車軸４が固定され、この車軸４の下面に環部６が固着され、両方の挾持体３の環部６間に被搬送物Ａの受け部材７である紐状体又は帯状体が長さ調節具８により長さ調節可能に掛け渡されている。紐状体として合成繊維等から成る紐体、帯状体として布、革、合成樹脂等から成る帯体等が挙げられる。
尚、受け部材７の材質は問わないが、伸長度の大きいものは不適である。
【００４３】
受け部材７は被搬送物Ａの搬送具１の搬送方向に対しての左右の幅より長く、かつ被搬送物Ａにより受け部材７が荷重を受けた時に、受け部材７が地上に接触しない程度の長さに被搬送物Ａによって予め長さが調節される。
【００４４】
このような構成を有する搬送具１の使用方法は、前同様に操作者は被搬送物Ａの搬送方向の先端部を地上に当接して操作者の手前側を浮かせ、被搬送物Ａの底部の両側に左右一対の挾持体３を配置して受け部材７を被搬送物Ａの底部の下方の地上に置き、片側ずつ挾持体３を被搬送物Ａの側面に当て被搬送物Ａの手前側を下ろせば、受け部材７に荷重が掛かり受け部材７が下圧されるので、両側の挾持体３は強く引き寄せられ、両挾持体３は被搬送物Ａの両側部に圧接固定されると共に、底部は受け部材７により受けられ被搬送物Ａは保持される。被搬送物Ａの搬送は前同様である。
【００４５】
図６は挾持体３が車軸４に角度調節可能に取り付けられている構造の一実施例を示したものである。
この構造は、板状の挾持体の外側に平面視断面Ｌ形の取り付け杆９の一方の片が上下方向に固着され、この取り付け杆９の他方の片に上下方向に溝孔１０が形成されている。
【００４６】
この溝孔１０に車軸４の基端部に設けた貫通孔（図示せず）にボルト及びナットの止着部材１１で回動可能に止着されると共に、リンク１２の一端が車軸４に回動可能に枢支１３され、リンク１２の他端は取り付け杆９の溝孔１０に摺動可能にボルト及びナットの止着部材１４で止着されている。これにより、リンク１２の他端を溝孔１０に沿って摺動させることによって、挾持体３は車軸４と角度調節可能となる。また、挾持体３の上下方向への移動も可能となる。
【００４７】
以上、本発明を実施形態に基づき具体的に説明したが、本発明は上記実施形態に何ら限定されるものではなく、例えば、角度調節構造は上記構造に限定されるものではなく、又受け部材７は車軸４ではなく、挾持体３の板面に取り付けてもよい。
又、図７に示すように、一個の車輪２の車軸４に左右一対の挾持体３を支持する支持杆２１が設けられ、この支持杆２１は車軸４に下部をボルト及びナット２２により回動可能に止着され、上部が斜上方へ傾斜し、この支持杆２１の上部に左右一対の略Ｌ字形の挾持体３が、挾持体３の水平板部３ｂの底部に設けたヒンジ２３によって回動可能に軸支されている。この挾持体３のヒンジ２３間の距離を調節することで、被搬送物Ａの幅に合わせて調節できる。
そして、挾持体３の角近くの水平板部３ｂの底面に支持杆２１に設けたストッパー２４が接触し、挾持体３の外側への回動を規制している。これにより、挾持体３の水平板部３ｂ上に被搬送物Ａが載ると、挾持体３の側板部３ａは被搬送物Ａの側部に圧接する。このように本発明の趣旨を逸脱しない範囲内において種々の改良、変形が可能である。
【図面の簡単な説明】
【００４８】
【図１】本発明物品搬送具の一実施の形態を示す正面図である。
【図２】図１の側面図である。
【図３】本発明物品搬送具の一実施の形態を示す部分正面図である。
【図４】本発明物品搬送具の他の実施の形態を示す正面図である。
【図５】図４の斜視図である。
【図６】本発明物品搬送具の部分正面図である。
【図７】本発明物品搬送具の他の実施の形態を示す正面図である。
【符号の説明】
【００４９】
Ａ    被搬送物
１    搬送具
２    車輪
３    挾持体
４    車軸
５    滑り止め板
６    環部
７    受け部材
８    長さ調節具
９    取り付け杆
１０  溝孔
１１  止着部材
１２  リンク
１３  枢支
１４  止着部材
１５  蝶番
１６  ブラケット
１７  ボルト
１８  軸支
１９  長孔
２０  ナット
【図１】
2006205964.tif 000003
【図２】
2006205964.tif 000004
【図３】
2006205964.tif 000005
【図４】
2006205964.tif 000006
【図５】
2006205964.tif 000007
【図６】
2006205964.tif 000008
【図７】
2006205964.tif 000009